(57)【要約】【課題】各情報処理装置から処理されている印刷ジョブの終了時に、いずれかの情報処理装置から受信する印刷ジョブの内容に応じた音色でその旨をユーザに印刷ジョブの処理状況を明確に報知することである。【解決手段】ネットワークを介して複数のパソコン１０３ａ〜１０３ｃより受信する印刷ジョブを処理可能なプリンタ１０１ａにおいて、パソコン１０３ａ〜１０３ｃ中のいずれかのパソコンから受信する印刷ジョブの内容に応じて、ＣＰＵ１０５が音源１０８，スピーカ１０７を介して発生すべき報知音を異ならしめる構成を特徴とする。【選択図】      図１
2004188823.tif 000002
【特許請求の範囲】
【請求項１】
ネットワークを介して複数の情報処理装置より受信する印刷ジョブを処理可能な画像形成装置であって、
複数の音色の報知音を発生可能な報知音発生手段と、
いずれかの情報処理装置から受信する印刷ジョブの内容に応じて、前記報知音発生手段が発声すべき報知音を異ならしめる報知制御手段と、
を備えることを特徴とする画像形成装置。
【発明の詳細な説明】
【０００１】
【発明の属する技術分野】
本発明は、レーザプリンタや複写機などの画像形成装置に関し、特にネットワークに接続され複数の利用者により共有され、画像形成装置からジョブの判別や装置の判別のために報知音を発生するシステムに関するものである。
【０００２】
【従来の技術】
従来、画像形成装置の報知音装置としては、「ピー」とビープ音を発生したりしていた。
【０００３】
図１２は、従来の画像形成システムの一例を示すシステム構成図である。
【０００４】
図１２において、１１０１はプリンタ、１１０２はインターネット通信網あるいはＬＡＮ網、１１０３は前記インターネット１１０２に接続されたパソコン、１１０４は前記プリンタ１１０１のインタフェース、１１０５は前記プリンタ１１０１を制御するＣＰＵ、１１０６は紙ジャムなどを検出する紙センサ、１１０７は報知音を発生するスピーカである。
【０００５】
このように構成された画像形成システムにおいて、プリンタ１１０１がプリント中にＣＰＵ１１０５が、例えば紙センサ１１０６により紙ジャムを検出した場合には、ＣＰＵ１１０５は各部のプリンタ動作を停止し、スピーカ１１０７より報知音を発生させる。
【０００６】
このとき発生させる報知音はＣＰＵ１１０５の内部にプログラムされた報知音パターンを出力するものである。また、ドアオープン警告であったり、プリンタのトナー無し警告であったり、紙カセットの用紙無し警告であったりなど、それぞれに応じ異なる報知音を発生させることもあり、報知音の種類としては単独音、数回の断続音、連続音など、単なるブザー音のＯＮ−ＯＦＦにより意味を持たせている。
【０００７】
また、インターネット１１０２には複数のパソコン１１０３が接続されており、各々のパソコンが印刷ジョブをプリンタ１１０１に送信するとプリンタ１１０１は受け付けた印刷ジョブ毎に連続プリントを行い出力する。
【０００８】
ここで、利用者がパソコン１１０３から送信した自分の印刷ジョブが終了したかどうかを知るには、パソコン上のプリンタドライバに問い合わせると、印刷状況が確認できるが、これは主にプリンタ１１０１がジョブを全て受理したかどうかをモニタするものであり、プリント出力が終了するまでは多少のタイムラグが発生してしまう。
【０００９】
複数のプリンタ１１０１がインターネット１１０２に接続されているとき、あるプリンタ１１０１が紙ジャムなど異常を生じた場合、プリンタ１１０１はスピーカ１１０７から警告音を発生する。ここで、プリンタ１１０１が同じ製品である場合、各々の発生する警告音は同じである。
【００１０】
【発明が解決しようとする課題】
しかしながら上記従来例では、報知音は警告音としての使用であり、有効活用されているとはいえない。
【００１１】
特に複数のパソコンでプリンタを共有するようにシステムが構成されている場合において、利用者にとって利用者自身の印刷ジョブの終了を知ることは非常に有用であるにも関わらずその対応がなされていない。
【００１２】
また、複数の同一製品のプリンタがまとまって設置されているシステム環境の状況では、プリンタの警告音は全て同じになり、どのプリンタが警告を発生しているかは個別に調べなくてはならない等の煩雑な作業をユーザに強いる結果となってしまう等の問題点があった。
【００１３】
本発明は、上記の問題点を解決するためになされたもので、本発明の目的は、ネットワークを介して複数の情報処理装置より受信する印刷ジョブを処理可能な画像形成装置において、いずれかの情報処理装置から受信する印刷ジョブの内容に応じて、発生すべき報知音を異ならしめることにより、各情報処理装置から処理されている印刷ジョブの終了時に、いずれかの情報処理装置から受信する印刷ジョブの内容に応じた音色でその旨をユーザに明確に報知できる利便性に優れたジョブ処理環境を自在に構築することができる画像形成装置を提供することである。
【００１４】
【課題を解決するための手段】
上記目的を達成する本発明のデータ処理装置は以下に示す構成を備える。
【００１５】
本発明は、ネットワークを介して複数の情報処理装置より受信する印刷ジョブを処理可能な画像形成装置であって、複数の音色の報知音を発生可能な報知音発生手段（例えば図１に示す音源１０８，スピーカ１０７）と、いずれかの情報処理装置から受信する印刷ジョブの内容に応じて、前記報知音発生手段が発声すべき報知音を異ならしめる報知制御手段（例えば図１に示すＣＰＵ１０５）とを備えることを特徴とする。
【００１６】
【発明の実施の形態】
〔第１実施形態〕
図１は、本発明の第１実施形態を示す画像形成装置を適用可能な画像形成システムの一例を示すブロック図であり、画像形成装置が、例えばプリンタである場合に対応する。
【００１７】
図において、１０１ａ〜１０１ｃは同一機能の処理を行うプリンタ（プリンタ１０１ａ〜１０１ｃを総称する場合は、プリンタ１０１とする場合がある）、１０２はインターネットもしくはＬＡＮである。
【００１８】
１０３ａ〜１０３ｃはパソコン（パソコン１０３ａ〜１０３ｃを総称する場合は、パソコン１０３とする場合がある）で、インターネット１０２に接続される。
【００１９】
１０４はインタフェースで、前記プリンタ１０１とインターネット１０２のインタフェースする。１０５はＣＰＵで、前記プリンタ１０１を制御する。１０６は紙センサで、紙カセット内の紙有無を検出したり、紙パス上の紙有無を検出したりする。１０７は報知音を発生するスピーカである。
【００２０】
１０８は報知音の音源である。１０９はＲＯＭで、ＣＰＵ１０５のプログラムや報知音の内容を保存している。１１０はメモリ容量を増設可能なＲＡＭで、ＣＰＵ１０５が動作する上で必要な情報あるいはパソコン１０３からの印刷データ、さらに報知音データを保存する。
【００２１】
図２は、図１に示した複数のパソコン１０３から１つのプリンタ１０１に送信されるそれぞれの印刷ジョブのデータ内容例を説明する図であり、例えばジョブａ〜ジョブｃからなる場合を示す。
【００２２】
図２において、ジョブａはＡ４のサイズの紙をカセットから給紙し印刷後、ＦＤ（Ｆａｃｅ  Ｄｏｗｎ）排紙口へ排紙、印刷内容はテキストのみで３ページである。
【００２３】
ジョブｂはＡ４のサイズの紙を手差し口から給紙し印刷後ＦＵ（Ｆａｃｅ  Ｕｐ）排紙口へ排紙、印刷内容はテキストと画像の混在であり１ページである。
【００２４】
ジョブｃはＡ３のサイズの紙をカセットから給紙し両面印刷後ＦＤ（ＦａｃｅＤｏｗｎ）排紙口へ排紙、印刷内容はテキストのみで２ページ、両面印刷なので使用紙数は１枚である。
【００２５】
この条件において、本実施形態では紙サイズにより報知音を変える。
【００２６】
図３は、本発明に係る画像形成装置における第１の報知処理手順の一例を示すフローチャートであり、図１に示したＲＯＭ１０９に搭載されている報知音選択プログラムに従う制御手順に対応する。なお、Ｓ３０１〜Ｓ３０６は各ステップを示す。
【００２７】
ステップＳ３０１では、図１に示したパソコン１０３より印刷ジョブを受信するまで待ち、ステップＳ３０２で用紙サイズデータが来るのを待ち、ステップＳ３０３にて用紙サイズを選択し、用紙サイズに応じて、ステップＳ３０４−１〜Ｓ３０４−５を実行することで、異なる音源を選び、ステップＳ３０５で、印刷ジョブの処理終了を待ち、ステップＳ３０６にてステップＳ３０４−１〜Ｓ３０４−５で選択された報知音を音源１０８に指示することにより、スピーカ１０７より選択された報知音が発生して、処理を終了する。
【００２８】
図４は、図１に示した音源１０８から報知可能な報知音に基づく第１の報知例を説明する図であり、（ａ）は音源１０８から発生可能な報知音を紙サイズ別に割り当てたテーブルを示し、（ｂ）はパソコン１０３から受信した印刷ジョブに従い報知される報知音との関係を示すテーブルである。
【００２９】
図４の（ａ）では、図１に示した音源１０８が、例えば、単なるビープ音であるが用紙サイズごとに音階を持ち、用紙サイズが大きくなるほど低い音（ド，レ，ミ，ファ，ソ）に対応させている。
【００３０】
そして、図４の（ｂ）に示すように印刷ジョブ、例えばジョブａ−ジョブｃ−ジョブｂの順番でパソコン１０３から送られてくると、図３に示した処理により、発生音はジョブの切れ目毎に「ミ」−「ド」−「ミ」となる。
【００３１】
ここで、利用者がジョブｃを実行し、印刷終了を待っているのであれば「ド」が聞こえるのを待てばよい。このように複数のパソコン１０３ユーザが印刷ジョブを１つのプリンタ１０１に実行させる場合において、プリンタ１０１の印刷ジョブ実施状況が発生音の違いにより容易に判断できる。
【００３２】
〔第２実施形態〕
上記実施形態では、用紙サイズ別に報知音を異ならしめる場合について説明したが、印刷ページ数により音源１０８から報知する報知音を変えるように制御してもよい。以下、その実施形態について説明する。
【００３３】
図５は、本発明に係る画像形成装置における第２の報知処理手順の一例を示すフローチャートであり、図１に示したＲＯＭ１０９に搭載されている報知音選択プログラムに従う制御手順に対応する。なお、Ｓ５０１〜Ｓ５０５は各ステップを示し、図３に示したステップと同様のステップには同様のステップを付してある。
【００３４】
まず、ステップＳ５０１では改ページ枚数のカウンタ（図２に示したＲＡＭ１１０上に確保される）に「０」をセットすることでゼロクリアする。
【００３５】
次に、ステップＳ３０１では印刷ジョブを受信するまで待ち、ステップＳ５０２で、改ページデータが来るのを待ち、改ページデータであると判断した場合には、ステップＳ５０３にて改ページ枚数を「＋１」する。
【００３６】
次に、ステップＳ３０５で、印刷ジョブの処理終了を待ち、ステップＳ５０４で、改ページ枚数のカウンタの枚数を判定して、その枚数毎に、ステップＳ５０５−１〜Ｓ５０５−３で、音源１〜３を選択して、ステップＳ３０６で、選択された報知音を音源１０８に指示することによりスピーカ１０７より選択された報知音が発生して、処理を終了する。
【００３７】
図６は、図１に示した音源１０８から報知可能な報知音に基づく第２の報知例を説明する図であり、（ａ）は音源１０８から発生可能な報知音を印刷ページ数別に割り当てたテーブルを示し、（ｂ）はパソコン１０３から受信した印刷ジョブに従い報知される報知音との関係を示すテーブルである。
【００３８】
本実施形態においては、図６の（ａ）に示すように、単なるビープ音であるが改ページ枚数に応じ、報知音発生回数を変えている。すなわち、１枚プリントでは１回、２枚プリントでは２回、それ以上は３回の断続音となる。
【００３９】
ここで、断続音のベースとなる音は、第１実施形態を用いるとすると次のようになる。
【００４０】
つまり、図６の（ｂ）に示すように例えば印刷ジョブが、ジョブａ−ジョブｂ−ジョブｃの順番でパソコン１０３から送られてくると、発生音はジョブの切れ目毎に「ミ、ミ、ミ」−「ミ」−「ド、ド」となる。
【００４１】
ここで利用者がジョブｃを実行し、印刷終了を待っているのであれば「ミ」が１回のみ聞こえるのを待てばよい。このように複数のパソコン１０３のユーザが印刷ジョブをひとつのプリンタ１０１に実行させる場合においてプリンタの印刷ジョブ実施状況が容易に判断できる。
【００４２】
また、このほかにも給紙口指定の別、排紙口指定の別、片面印刷か両面印刷かの別、テキストデータのみの印刷か画像データもある印刷かの別、等に応じ、報知音を選択するようプログラムを組むことにより種々の印刷ジョブに応じることが可能となる。
【００４３】
また、報知音としては、第１実施形態のような単音の高低のほか、和音の組み合わせ、音声合成による人の声、音の大小の違いを用いることが可能であり、それぞれを組み合わせることで、よりプリンタ１０１の動作状況がよくわかる。
【００４４】
なお、不図示の操作パネルにより報知音の選択理由として、用紙サイズの違いか、印刷枚数の違いか、給紙口の違いか、などを指定できるようにするのも利用者にとって有効である。
【００４５】
〔第３実施形態〕
上記第１，第２実施形態では、プリンタ１０１に音源１０８を備えて、スピーカ１０７より報知する場合について説明したが、パソコン１０３からプリンタ１０１へ音声データ（音楽データ）を送信可能とし、音声データをパソコン１０３よりジョブとともに受け取り、音源１０８を介してスピーカ１０７より報知するように制御してもよい。以下、その実施形態について説明する。
【００４６】
図７は、図１に示したパソコン１０３より送信される印刷データ群（印刷ジョブ）の一例を示す図であり、複数のパソコン１０３から１つのプリンタ１０１に送信される印刷ジョブのデータ内容例に対応する。
【００４７】
図７に示すように、本実施形態では、印刷データ終了前に報知音音楽データが付加されている点を特徴としている。
【００４８】
図８は、本発明に係る画像形成装置における第３の報知処理手順の一例を示すフローチャートであり、図１に示したＲＯＭ１０９に搭載されている報知音選択プログラムに従う制御手順に対応する。なお、Ｓ８０１〜Ｓ８０７は各ステップを示す。
【００４９】
まず、ステップＳ８０１にて印刷ジョブの開始を調べ、ステップＳ８０２で印刷ジョブの処理が終了するのを待ち、その間に、ステップＳ８０３にて、パソコン１０３からの送信データに報知音の音楽データ（音声データ）があるかどうかを確認し、あると判定された場合は、ステップＳ８０４にて、ＲＡＭ１１０に格納する。
【００５０】
そして、印刷ジョブの処理が終了すると、ステップＳ８０５にて音楽データの有無を確認し、音楽データがあると判断した場合は、ステップＳ８０６にて報知音として指定された音楽を発生させ、処理を終了する。
【００５１】
一方、ステップＳ８０５で、音楽データが無いと判定された場合は、ステップＳ８０７で、通常の報知音を発生して、処理を終了する。
【００５２】
このようにして、利用者は特定の印刷ジョブに対し、その終了時に利用者の好きな音楽で印刷ジョブの終了を知ることが可能となる。
【００５３】
この音楽データは単なる音階データ、あるいはＭＩＤＩデータ、あるいは音声信号でも、音源１０８が対応可能なものであれば如何様でも可能である。
【００５４】
〔第４実施形態〕
上記実施形態では、音声データをパソコン１０３から取得して報知音処理する場合について説明したが、報知音をＩＰアドレス情報から自動で選択し、特に警告音として用いて、報知音処理するように制御してもよい。以下、その実施形態について説明する。
【００５５】
図９は、本発明に係る画像形成装置における第４の報知処理手順の一例を示すフローチャートであり、図１に示したＲＯＭ１０９に搭載されている報知音選択プログラムに従う制御手順に対応する。なお、Ｓ９０１〜Ｓ９０４は各ステップを示す。
【００５６】
図１０は、本発明に係る画像形成装置における報知音割り当て状態を説明する図であり、アドレス情報の下１桁をもって報知音を選択する例に対応する。
【００５７】
なお、本実施形態では、図１０に示すように、報知音を音階として区別している。「＾ド」は「ド」より１オクターブ高いことを示している。
【００５８】
まず、ステップＳ９０１で、プリンタサーバとして機能しているインタフェース１０４により自動的にＩＰアドレスを取得し、ステップＳ９０２で、アドレス情報の下１桁をもって報知音を選択する。
【００５９】
そして、Ｓ９０３で、紙ジャムを検出しているかどうかを判断、例えば紙センサ１０６が印刷中に不要な紙の検出を行うことで紙ジャムを判断し、紙ジャムが発生したと判断した場合は、ステップＳ９０４で、ステップＳ９０２で選択された報知音を警告音としてスピーカ１０７より再生して、処理を終了する。
【００６０】
このように、複数台のプリンタ１０１を並べて使用している場合において、特別な設定を行うこと無く警告を出しているプリンタを特定することが可能である。
【００６１】
以下、図１１に示すメモリマップを参照して本発明に係る画像形成装置で読み出し可能なデータ処理プログラムの構成について説明する。
【００６２】
図１１は、本発明に係る情報処理装置で読み出し可能な各種データ処理プログラムを格納する記憶媒体のメモリマップを説明する図である。
【００６３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００６５】
本実施形態における図３，図５，図８，図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００６６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００６７】
この場合、記憶媒体から読み出されたプログラムコード自体が本発明の新規な機能を実現することになり、そのプログラムコードを記憶した記憶媒体は本発明を構成することになる。
【００６８】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００６９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７１】
本発明は上記実施形態に限定されるものではなく、本発明の趣旨に基づき種々の変形（各実施形態の有機的な組み合わせを含む）が可能であり、それらを本発明の範囲から排除するものではない。
【００７２】
なお、上記第４実施形態では、プリンタのインタフェースに設定されるＩＰアドレスに応じてジャム発生時に異なる報知音を発生させる場合について説明したが、パソコン１０３ａ〜１０３ｃから受信する印刷ジョブの受信先をＩＰアドレスとして取得して、第１実施形態にように報知音を異ならしめることも本発明の適用範囲である。
【００７３】
また、プリンタのインタフェース構成によっては、複数の異なるインタフェース（セントロニクス，ＵＳＢ）を備える場合には、そのインタフェース毎に報知音を異ならしめることも本発明の適用範囲である。
【００７４】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１４について説明する。
【００７５】
〔実施態様１〕
ネットワークを介して複数の情報処理装置より受信する印刷ジョブを処理可能な画像形成装置であって、複数の音色の報知音を発生可能な報知音発生手段（例えば図１に示す音源１０８，スピーカ１０７）と、いずれかの情報処理装置から受信する印刷ジョブの内容に応じて、前記報知音発生手段が発生すべき報知音を異ならしめる報知制御手段（例えば図１に示すＣＰＵ１０５）とを備えることを特徴とする画像形成装置。
【００７６】
〔実施態様２〕
前記印刷ジョブの内容とは、出力した用紙サイズ、あるいは出力した用紙枚数、あるいは出力した用紙の給紙口、あるいは片面と両面印刷の別、あるいは印刷内容が文字データである場合と写真データである場合の別、であることを特徴とする実施態様１記載の画像形成装置。
【００７７】
〔実施態様３〕
前記報知音発生手段が発生可能な音色は、音程の異なるビープ音、あるいは単音と和音、あるいは音声合成による声、あるいは断続音の断続回数、あるいは音の大小であることを特徴とする実施態様１記載の画像形成装置。
【００７８】
〔実施態様４〕
ネットワークを介して複数の情報処理装置より受信する印刷ジョブを処理可能な画像形成装置であって、任意の音色の報知音を発生可能な報知音発生手段（例えば図１に示す音源１０８，スピーカ１０７）と、いずれかの情報処理装置から受信する印刷ジョブに付加される楽音データもしくは音声データに応じて、前記報知音発生手段より異なる報知音を発生させる報知制御手段（例えば図１に示すＣＰＵ１０５）とを備えることを特徴とする画像形成装置。
【００７９】
〔実施態様５〕
前記楽音データは、前記印刷データと一緒に前記情報処理装置から受信することを特徴とする実施態様４記載の画像形成装置。
【００８０】
〔実施態様６〕
ネットワークを介して複数の情報処理装置より受信する印刷ジョブを処理可能な画像形成装置であって、複数の音色の報知音を発生可能な報知音発生手段と、いずれかの情報処理装置から印刷ジョブを受信するインタフェースと、前記インタフェースに設定されているＩＰアドレスを取得する取得手段（例えば図１に示すＣＰＵ１０５）と、前記取得手段により取得されるＩＰアドレスに応じて、前記報知音発生手段より異なる報知音を発生させる報知制御手段（例えば図１に示すＣＰＵ１０５）とを備えることを特徴とする画像形成装置。
【００８１】
〔実施態様７〕
複数の音色の報知音を発生可能な報知音発生手段を備え、ネットワークを介して複数の情報処理装置より受信する印刷ジョブを処理可能な画像形成装置におけるジョブ処理方法であって、いずれかの情報処理装置から受信する印刷ジョブの内容に応じて、前記報知音発生手段が発生すべき報知音を異ならしめる報知制御ステップ（例えば図３に示すステップＳ３０４−１〜Ｓ３０４−５）を備えることを特徴とするジョブ処理方法。
【００８２】
〔実施態様８〕
前記印刷ジョブの内容とは、出力した用紙サイズ、あるいは出力した用紙枚数、あるいは出力した用紙の給紙口、あるいは片面と両面印刷の別、あるいは印刷内容が文字データである場合と写真データである場合の別、であることを特徴とする実施態様７記載のジョブ処理方法。
【００８３】
〔実施態様９〕
前記報知音発生終了が発生可能な音色は、音程の異なるビープ音、あるいは単音と和音、あるいは音声合成による声、あるいは断続音の断続回数、あるいは音の大小であることを特徴とする実施態様７記載のジョブ処理方法。
【００８４】
〔実施態様１０〕
任意の音色の報知音を発生可能な報知音発生手段を備え、ネットワークを介して複数の情報処理装置より受信する印刷ジョブを処理可能な画像形成装置におけるジョブ処理方法であって、いずれかの情報処理装置から受信する印刷ジョブに付加される楽音データもしくは音声データに応じて、前記報知音発生手段より異なる報知音を発生させる報知制御ステップ（図５に示すステップＳ３０６）とを備えることを特徴とするジョブ処理方法。
【００８５】
〔実施態様１１〕
前記楽音データは、前記印刷データと一緒に前記情報処理装置から受信することを特徴とする実施態様１０記載のジョブ処理方法。
【００８６】
〔実施態様１２〕
複数の音色の報知音を発生可能な報知音発生手段を備え、ネットワークを介して複数の情報処理装置より受信する印刷ジョブを処理可能な画像形成装置であって、いずれかの情報処理装置から印刷ジョブを受信するインタフェースに設定されているＩＰアドレスを取得する取得ステップ（図９に示すステップＳ９０１）と、前記取得ステップにより取得されるＩＰアドレスに応じて、前記報知音発生手段より異なる報知音を発生させる報知制御ステップ（図９に示すステップＳ９０３，Ｓ９０５）とを備えることを特徴とするジョブ処理方法。
【００８７】
〔実施態様１３〕
実施態様７〜１２のいずれかに記載のジョブ処理方法を実現するプログラムを記憶したことを特徴とするコンピュータが読み取り可能な記憶媒体。
【００８８】
〔実施態様１４〕
実施態様７〜１２のいずれかに記載のジョブ処理方法を実現することを特徴とするプログラム。
【００８９】
上記実施態様によれば、印刷ジョブの内容を判断し、その内容により異なる報知音を印刷ジョブの終了音とすることで利用者に対し、有効なプリンタの状況報告が可能となる。
【００９０】
また、利用者が報知音として設定したい報知音情報を印刷ジョブと一緒に送ることにより特定の印刷ジョブに対し任意の報知音を設定することができ、利用者にとって、より明確な報知音となり、報知音を音楽とするなど内容によってはアミューズメント的要素を付加する事が可能である。
【００９１】
また、報知音の設定をＩＰアドレスを基に変化させることにより複数台存在するプリンタの報知音を個別に変える事が可能となり、特に警告音がどのプリンタから発せられているかを容易に認識することが可能となる。
【００９２】
このように利用者に対し報知音によりプリンタの動作状況を伝えることが可能なシステムを提供することができる。
【００９３】
【発明の効果】
以上説明したように、本発明によれば、ネットワークを介して複数の情報処理装置より受信する印刷ジョブを処理可能な画像形成装置において、いずれかの情報処理装置から受信する印刷ジョブの内容に応じて、発生すべき報知音を異ならしめるので、各情報処理装置から処理されている印刷ジョブの終了時に、いずれかの情報処理装置から受信する印刷ジョブの内容に応じた音色でその旨をユーザに印刷ジョブの処理状況を明確に報知できる利便性に優れたジョブ処理環境を自在に構築することができるという効果を奏する。
【図面の簡単な説明】
【図１】本発明の第１実施形態を示す画像形成装置を適用可能な画像形成システムの一例を示すブロック図である。
【図２】図１に示した複数のパソコンから１つのプリンタに送信されるそれぞれの印刷ジョブのデータ内容例を説明する図である。
【図３】本発明に係る画像形成装置における第１の報知処理手順の一例を示すフローチャートである。
【図４】図１に示した音源から報知可能な報知音に基づく第１の報知例を説明する図である。
【図５】本発明に係る画像形成装置における第２の報知処理手順の一例を示すフローチャートである。
【図６】図１に示した音源から報知可能な報知音に基づく第２の報知例を説明する図である。
【図７】図１に示したパソコンより送信される印刷データ群（印刷ジョブ）の一例を示す図である。
【図８】本発明に係る画像形成装置における第３の報知処理手順の一例を示すフローチャートである。
【図９】本発明に係る画像形成装置における第４の報知処理手順の一例を示すフローチャートである。
【図１０】本発明に係る画像形成装置における報知音割り当て状態を説明する図である。
【図１１】本発明に係る情報処理装置で読み出し可能な各種データ処理プログラムを格納する記憶媒体のメモリマップを説明する図である。
【図１２】従来の画像形成システムの一例を示すシステム構成図である。
【符号の説明】
１０１  プリンタ
１０２  インターネット
１０３  パソコン
１０５  ＣＰＵ
１０６  紙センサ
１０７  スピーカ
１０８  音源
１０９  ＲＯＭ
１１０  ＲＡＭ
【図１】
2004188823.tif 000003
【図２】
2004188823.tif 000004
【図３】
2004188823.tif 000005
【図４】
2004188823.tif 000006
【図５】
2004188823.tif 000007
【図６】
2004188823.tif 000008
【図７】
2004188823.tif 000009
【図８】
2004188823.tif 000010
【図９】
2004188823.tif 000011
【図１０】
2004188823.tif 000012
【図１１】
2004188823.tif 000013
【図１２】
2004188823.tif 000014